(57)【要約】【課題】  障害ＯＮＵを特定する。【解決手段】  ＯＮＵ（１８−１〜ｎ）がいずれも正常に動作している状態で、ＣＰＵ（２４）は、下り転送装置（２２）を介して、ＯＮＵ（１８−１〜ｎ）に即時の応答を要求する即時応答要求コマンドを送信する。光／電気変換器（３０）はＯＮＵ（１８−１〜ｎ）からの光信号を電気信号に変換し、波形計測装置（３８）は光／電気変換器（３０）の出力電気信号の包絡線波形を正常時波形として計測する。何れかのＯＮＵの論理リンクが断になると、ＣＰＵ（２４）は、即時応答要求コマンドをＯＮＵ（１８−１〜ｎ）に向け送信し、波形計測装置（３８）は、光／電気変換器（３０）の出力電気信号の包絡線波形を障害時波形として計測する。波形比較装置（４０）は正常時波形と障害時波形を比較し、ＣＰＵ（２４）は比較結果をＯＮＵ管理情報（３６ａ）に照合して、障害ＯＮＵを特定する。【選択図】  図１
2011035738.tif 000002
【特許請求の範囲】
【請求項１】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する方法であって、
当該複数の加入者光終端装置がいずれも正常に動作している状態で、当該複数の加入者光終端装置に即時の応答を要求する第１の即時応答要求コマンドを、当該光伝送路から当該複数の加入者光終端装置に向けて送信する第１の即時応答要求コマンド送信ステップと、
当該第１の即時応答要求コマンドに応じて当該複数の加入者光終端装置から返信され当該光伝送路を伝送する応答信号を含む光信号を電気信号に変換し、当該電気信号の包絡線波形を正常時波形として計測する第１の波形計測ステップと、
当該複数の加入者光終端装置の何れかが当該障害ＯＮＵとなった可能性の検出に応じてか、定期的かの何れかで、第２の即時応答要求コマンドを当該光伝送路から当該複数の加入者光終端装置に向けて送信する第２の即時応答要求コマンド送信ステップと、
当該第２の即時応答要求コマンド送信ステップに続けて、当該光伝送路からの光信号を電気信号に変換し、当該電気信号の包絡線波形を障害時波形として計測する第２の波形計測ステップと、
当該正常時波形と当該障害時波形との比較から当該障害ＯＮＵを特定する特定ステップ
とを具備することを特徴とする障害ＯＮＵ特定方法。
【請求項２】
当該局側光終端装置は、収容する各加入者光終端装置の距離情報を含むＯＮＵ管理情報を保持し、
当該特定ステップは、
当該正常時波形と当該障害時波形の差を検出する波形比較ステップと、
当該波形比較ステップで検出された差を当該ＯＮＵ管理情報と照合して、当該障害ＯＮＵを特定するステップ
とを具備することを特徴とする請求項１に記載の障害ＯＮＵ特定方法。
【請求項３】
当該第１及び第２の即時応答要求コマンドが、ディスカバリースロットサイズをゼロにセットしたＤｉｓｏｖｅｒｙ＿ＧＡＴＥフレームからなることを特徴とする請求項１又は２に記載の障害ＯＮＵ特定方法。
【請求項４】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する方法であって、
当該複数の加入者光終端装置の何れかが当該障害ＯＮＵとなった可能性の検出に応じてか、定期的かの何れかで、当該複数の加入者光終端装置に即時の応答を要求する即時応答要求コマンドを当該光伝送路から当該複数の加入者光終端装置に向けて送信する即時応答要求コマンド送信ステップと、
当該即時応答要求コマンド送信ステップに続けて、当該光伝送路からの光信号を電気信号に変換し、当該電気信号の包絡線波形を障害時波形として計測する波形計測ステップと、
当該局側光終端装置が保持する、各加入者光終端装置の距離情報を含むＯＮＵ管理情報を参照し、当該複数の加入者光終端装置がいずれも正常に動作している状態での、当該即時応答要求コマンドに対する応答信号の包絡線波形を正常時波形として生成する正常時波形生成ステップと、
当該正常時波形と当該障害時波形との比較から当該障害ＯＮＵを特定する特定ステップ
とを具備することを特徴とする障害ＯＮＵ特定方法。
【請求項５】
当該特定ステップは、
当該正常時波形と当該障害時波形の差を検出する波形比較ステップと、
当該波形比較ステップで検出された差を、当該ＯＮＵ管理情報と照合して，当該障害ＯＮＵを特定するステップ
とを具備することを特徴とする請求項４に記載の障害ＯＮＵ特定方法。
【請求項６】
当該即時応答要求コマンドが、ディスカバリースロットサイズをゼロにセットしたＤｉｓｏｖｅｒｙ＿ＧＡＴＥフレームからなることを特徴とする請求項４又は５に記載の障害ＯＮＵ特定方法。
【請求項７】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する装置であって、
当該複数の加入者光終端装置に即時の応答を要求する即時応答要求コマンドを、当該光伝送路から当該複数の加入者光終端装置に向けて送信する即時応答要求コマンド送信手段と、
当該複数の加入者光終端装置から出力され当該光伝送路を伝送する光信号を電気信号に変換し、当該電気信号の包絡線波形を計測する波形計測手段と、
当該複数の加入者光終端装置がいずれも正常に動作している状態で、当該即時応答要求コマンド送信手段に当該即時応答要求コマンドを送信させると共に当該波形計測手段に当該包絡線波形を計測させ、計測した包絡線波形を正常時波形としてメモリに記憶し、当該複数の加入者光終端装置の何れかが当該障害ＯＮＵとなった可能性の検出に応じてか、定期的かの何れかで、当該即時応答要求コマンド送信手段に当該即時応答要求コマンドを送信させると共に当該波形計測手段に当該包絡線波形を障害時波形として計測させる制御手段と、
当該正常時波形と当該障害時波形の比較から当該障害ＯＮＵを特定する特定手段
とを具備することを特徴とする障害ＯＮＵ特定装置。
【請求項８】
当該局側光終端装置は、収容する各加入者光終端装置の距離情報を含むＯＮＵ管理情報を保持し、
当該特定手段は、
当該正常時波形と当該障害時波形の差を検出する波形比較手段と、
当該波形比較手段で検出された差を当該ＯＮＵ管理情報と照合して、当該障害ＯＮＵを特定する手段
とを具備することを特徴とする請求項７に記載の障害ＯＮＵ特定装置。
【請求項９】
当該即時応答要求コマンドが、ディスカバリースロットサイズをゼロにセットしたＤｉｓｏｖｅｒｙ＿ＧＡＴＥフレームからなることを特徴とする請求項７又は８に記載の障害ＯＮＵ特定装置。
【請求項１０】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する装置であって、
当該複数の加入者光終端装置に即時の応答を要求する即時応答要求コマンドを、当該光伝送路から当該複数の加入者光終端装置に向けて送信する即時応答要求コマンド送信手段と、
当該複数の加入者光終端装置から出力され当該光伝送路を伝送する光信号を電気信号に変換し、当該電気信号の包絡線波形を計測する波形計測手段と、
当該複数の加入者光終端装置の何れかが当該障害ＯＮＵとなった可能性の検出に応じてか、定期的かの何れかで、当該即時応答要求コマンド送信手段に当該即時応答要求コマンドを送信させると共に当該波形計測手段に当該包絡線波形を障害時波形として計測させる制御手段と、
当該局側光終端装置が保持する、各加入者光終端装置の距離情報を含むＯＮＵ管理情報を参照し、当該複数の加入者光終端装置がいずれも正常に動作している状態での、当該即時応答要求コマンドに対する応答信号の包絡線波形を正常時波形として生成する正常時波形生成手段と、
当該正常時波形と当該障害時波形の比較から当該障害ＯＮＵを特定する特定手段
とを具備することを特徴とする障害ＯＮＵ特定装置。
【請求項１１】
当該特定手段は、
当該正常時波形と当該障害時波形の差を検出する波形比較手段と、
当該波形比較手段で検出された差を当該ＯＮＵ管理情報と照合して，当該障害ＯＮＵを特定する手段
とを具備することを特徴とする請求項１０に記載の障害ＯＮＵ特定装置。
【請求項１２】
当該即時応答要求コマンドが、ディスカバリースロットサイズをゼロにセットしたＤｉｓｏｖｅｒｙ＿ＧＡＴＥフレームからなることを特徴とする請求項１０又は１１に記載の障害ＯＮＵ特定装置。
【発明の詳細な説明】
【技術分野】
【０００１】
本発明は、障害ＯＮＵ特定方法及び装置に関し、より具体的には、ＰＯＮ（Passive Optical Network）システムのような、局側光終端装置ＯＬＴ（Optical Line Terminal）が複数の加入者光終端装置ＯＮＵ（Optical Network Unit）をこれらにより部分的に共用される光伝送路を介して収容する光伝送システムにおいて、妨害光を発するような障害ＯＮＵを特定する方法及び装置に関する。
【背景技術】
【０００２】
加入者へのアクセス回線に光ファイバを使用するＦＴＴＨ（Fiber To The Home）サービスでは、ＰＯＮ（Passive Optical Network）システムが多く用いられている。ＰＯＮシステムは、交換局等に１台の局側光終端装置ＯＬＴ（Optical Line Terminal）を配置し、ＯＬＴに受動光伝送路を介して複数の加入者光終端装置ＯＮＵ（Optical Network Unit）を収容する方式である。受動光伝送路は、ＯＬＴに接続する光ファイバ（共用光ファイバ）と、各加入者光終端装置ＯＮＵに接続する光ファイバ（分岐光ファイバ）と、共用光ファイバと分岐光ファイバとを接続する受動光素子である光カプラからなる。ＯＬＴと共用光ファイバの共有により、設備コストと光ファイバコストを低減することができる。
【０００３】
上りに単一波長を使用するＰＯＮシステムでは、各ＯＮＵの上り光信号伝送にＴＤＭＡ方式が採用される。すなわち、ＯＬＴは、各ＯＮＵに対し、上り光の送信タイミングを指示し、各ＯＮＵは、指示されたタイミング及び時間帯にのみ上り光信号を光ファイバに出力する。
【０００４】
ＯＮＵの障害には、動作しないことを含めＯＬＴからの制御又は指示を単に受け付けない場合と、許可された時間帯以外に光信号を送出する場合とがある。後者は、典型的には、上り光信号出力用のレーザダイオードが暴走している場合であり、制御障害等により、許可されていない時間帯に上り光信号を出力する場合もありうる。後者は、他のＯＮＵの上り信号伝送を妨害する点で、前者よりも悪質である。従って、このような、許可された時間帯を超えて光信号を送出する障害ＯＮＵを早期に特定する技術が必要となる。
【０００５】
特許文献１には、各ＯＮＵに順に全帯域を与えて上り光信号を送出させてそのときの上り光パワーを測定し、帯域を与えなかった場合と同じ上り光パワーの上り光信号を出力するＯＮＵを障害ＯＮＵと特定する技術が記載されている。
【０００６】
特許文献２には、ＯＬＴが、アイドルパターンを各ＯＮＵに送信してループバックさせ、受信したアイドルパターンとの相関関数を計算することによって、正常に動作するＯＮＵ（以下、正常ＯＮＵという）を識別する方法が記載されている。このようなループバック応答をしないＯＮＵは、何らかの障害を抱えており、交換又は修理が必要となる。
【０００７】
特許文献３には、ＯＮＵの光ファイバからの切り離しの際の挙動を監視してデータベース化し、妨害光の発生時には、当該データベースを参照して、妨害光を出力するＯＮＵを推定することが記載されている。
【先行技術文献】
【特許文献】
【０００８】
【特許文献１】特許第４０２０５９７号
【特許文献２】特開２００３−１５８５３１号公報
【特許文献３】特開２００６−３０３６７３号公報
【発明の概要】
【発明が解決しようとする課題】
【０００９】
特許文献１，２に記載の技術は、妨害光が発生した状況下でも正常ＯＮＵがＯＬＴからの制御命令に応答できるという前提が成立する場合にのみ、利用可能である。すなわち、これらの技術は、上り光信号の伝送不能（ＯＬＴにおいて識別不能）により正常ＯＮＵの論理リンクが切れている状況では適用できない。
【００１０】
特許文献３の技術は、利用者の不審な操作を前提としており、より一般的な、上り光信号出力用のレーザダイオードが暴走するケース等には、対応出来ない。
【００１１】
そこで、本発明では、論理リンクが切れた状態でも障害ＯＮＵ又は正常ＯＮＵを特定出来る障害ＯＮＵ特定方法及び装置を提示することを目的とする。
【課題を解決するための手段】
【００１２】
本発明に係る障害ＯＮＵ特定方法は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する方法であって、当該複数の加入者光終端装置がいずれも正常に動作している状態で、当該複数の加入者光終端装置に即時の応答を要求する第１の即時応答要求コマンドを、当該光伝送路から当該複数の加入者光終端装置に向けて送信する第１の即時応答要求コマンド送信ステップと、当該第１の即時応答要求コマンドに応じて当該複数の加入者光終端装置から返信され当該光伝送路を伝送する応答信号を含む光信号を電気信号に変換し、当該電気信号の包絡線波形を正常時波形として計測する第１の波形計測ステップと、当該複数の加入者光終端装置の何れかが当該障害ＯＮＵとなった可能性の検出に応じてか、定期的かの何れかで、第２の即時応答要求コマンドを当該光伝送路から当該複数の加入者光終端装置に向けて送信する第２の即時応答要求コマンド送信ステップと、当該第２の即時応答要求コマンド送信ステップに続けて、当該光伝送路からの光信号を電気信号に変換し、当該電気信号の包絡線波形を障害時波形として計測する第２の波形計測ステップと、当該正常時波形と当該障害時波形との比較から当該障害ＯＮＵを特定する特定ステップとを具備することを特徴とする。
【００１３】
本発明に係る障害ＯＮＵ特定方法は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する方法であって、当該複数の加入者光終端装置の何れかが当該障害ＯＮＵとなった可能性の検出に応じてか、定期的かの何れかで、当該複数の加入者光終端装置に即時の応答を要求する即時応答要求コマンドを当該光伝送路から当該複数の加入者光終端装置に向けて送信する即時応答要求コマンド送信ステップと、当該即時応答要求コマンド送信ステップに続けて、当該光伝送路からの光信号を電気信号に変換し、当該電気信号の包絡線波形を障害時波形として計測する波形計測ステップと、当該局側光終端装置が保持する、各加入者光終端装置の距離情報を含むＯＮＵ管理情報を参照し、当該複数の加入者光終端装置がいずれも正常に動作している状態での、当該即時応答要求コマンドに対する応答信号の包絡線波形を正常時波形として生成する正常時波形生成ステップと、当該正常時波形と当該障害時波形との比較から当該障害ＯＮＵを特定する特定ステップとを具備することを特徴とする。
【００１４】
本発明に係る障害ＯＮＵ特定装置は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する装置であって、当該複数の加入者光終端装置に即時の応答を要求する即時応答要求コマンドを、当該光伝送路から当該複数の加入者光終端装置に向けて送信する即時応答要求コマンド送信手段と、当該複数の加入者光終端装置から出力され当該光伝送路を伝送する光信号を電気信号に変換し、当該電気信号の包絡線波形を計測する波形計測手段と、当該複数の加入者光終端装置がいずれも正常に動作している状態で、当該即時応答要求コマンド送信手段に当該即時応答要求コマンドを送信させると共に当該波形計測手段に当該包絡線波形を計測させ、計測した包絡線波形を正常時波形としてメモリに記憶し、当該複数の加入者光終端装置の何れかが当該障害ＯＮＵとなった可能性の検出に応じてか、定期的かの何れかで、当該即時応答要求コマンド送信手段に当該即時応答要求コマンドを送信させると共に当該波形計測手段に当該包絡線波形を障害時波形として計測させる制御手段と、当該正常時波形と当該障害時波形の比較から当該障害ＯＮＵを特定する特定手段とを具備することを特徴とする。
【００１５】
本発明に係る障害ＯＮＵ特定装置は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発するような障害ＯＮＵを特定する装置であって、当該複数の加入者光終端装置に即時の応答を要求する即時応答要求コマンドを、当該光伝送路から当該複数の加入者光終端装置に向けて送信する即時応答要求コマンド送信手段と、当該複数の加入者光終端装置から出力され当該光伝送路を伝送する光信号を電気信号に変換し、当該電気信号の包絡線波形を計測する波形計測手段と、当該複数の加入者光終端装置の何れかが当該障害ＯＮＵとなった可能性の検出に応じてか、定期的かの何れかで、当該即時応答要求コマンド送信手段に当該即時応答要求コマンドを送信させると共に当該波形計測手段に当該包絡線波形を障害時波形として計測させる制御手段と、当該局側光終端装置が保持する、各加入者光終端装置の距離情報を含むＯＮＵ管理情報を参照し、当該複数の加入者光終端装置がいずれも正常に動作している状態での、当該即時応答要求コマンドに対する応答信号の包絡線波形を正常時波形として生成する正常時波形生成手段と、当該正常時波形と当該障害時波形の比較から当該障害ＯＮＵを特定する特定手段とを具備することを特徴とする。
【発明の効果】
【００１６】
以上のように本発明によれば、仮に論理リンクが切れても、障害ＯＮＵの特定が可能となる。
【図面の簡単な説明】
【００１７】
【図１】本発明の一実施例の概略構成ブロック図を示す。
【図２】ディスカバリー手順によるＯＮＵの新規登録手続きのシーケンスを示す。
【図３】ディスカバリー手順のＤｉｓｃｏｖｅｒｙ＿ＧＡＴＥフレームのフレーム構造を示す。
【図４】即時応答要求コマンドに対する応答フレームの波形例を示す。
【図５】図４に示す波形例に対して、あるＯＮＵが常時、上り光信号を出力するようになった場合の波形例を示す。
【図６】図４に示す波形例に対して、あるＯＮＵがＯＬＴの送信許可とは無関係に上り光信号を出力するようになった場合の波形例を示す。
【図７】ＯＮＵ管理情報から生成した応答フレーム波形（推測波形）とその包絡線波形を示す。
【発明を実施するための形態】
【００１８】
以下、図面を参照して、本発明の実施例を詳細に説明する。
【実施例１】
【００１９】
図１は、本発明の一実施例の概略構成ブロック図を示す。図示した実施例は、ＩＥＥＥ８０２．３で規格化されたＥＰＯＮ（Ethernet Passive Optical Network）に準拠している。Ethernetは登録商標である。
【００２０】
本実施例の構成と基本動作を簡単に説明する。センター局に配備されるＯＬＴ１０は共用光ファイバ１２を介して光カプラ１４に接続し、光カプラ１４は、個々の分岐光ファイバ１６−１〜１６−ｎを介して加入者宅のＯＮＵ１８−１〜１８−ｎに接続する。光カプラ１４は、共用光ファイバ１２から入力する下り光信号をｎ分割し、分割された各下り光信号を分岐光ファイバ１６−１〜１６−ｎに供給し、分岐光ファイバ１６−１〜１６−ｎから入力する上り光信号を共用光ファイバ１２に出力する受動光素子である。共用光ファイバ１２、光カプラ１４及び分岐光ファイバ１６−１〜１６−ｎが、ＯＬＴ１０とＯＮＵ１８−１〜１８−ｎとを光学的に接続するＰＯＮ光伝送路を構成する。
【００２１】
ＯＬＴ１０はまた、そのネットワークネットワークインターフェース（ＮＮＩ）２０で上流ネットワークに接続する。ＮＮＩ２０は、上流ネットワークからの何れかのＯＮＵ１８−１〜１８−ｎに向けた下り信号（下りデータフレーム）を下り転送装置２２に供給する。下り転送装置２２には更に、ＯＬＴ１０の全体を制御するＣＰＵ２４から、ＯＬＴ１０が各ＯＮＵ１８−１〜１８−ｎを管理するための制御信号又は制御フレームも入力する。この制御信号の詳細は、後述する。
【００２２】
下り転送装置２２は、ＮＮＩ２０からの下りデータフレームにＣＰＵ２４からの制御フレームを時間軸上で多重し、所定のフレーム構成で電気／光変換器（Ｅ／Ｏ変換器）２６に供給する。一般に、下り転送装置２２は、下りデータフレームより制御フレームを優先してＥ／Ｏ変換器２６に供給する。制御フレームには、帯域割当用のＧａｔｅフレームや、Ｄｉｓｃｏｖｅｒｙ＿ＧＡＴＥフレームがある。
【００２３】
Ｅ／Ｏ変換器２６は、所定波長でレーザ発振するレーザダイオードからなり、下り転送装置２２からの電気信号を光信号（下り光信号）に変換する。ＷＤＭ（波長分割多重）光カプラ２８は、Ｅ／Ｏ変換器２６からの下り光信号を共用光ファイバ１２に出力する。
【００２４】
下り光信号は，共用光ファイバ１２を伝送し，光カプラ１４で分割され、分岐光ファイバ１６−１〜１６−ｎを伝送してＯＮＵ１８−１〜１８−ｎに到達する。ＯＮＵ１８−１〜１８−ｎは、対応する分岐光ファイバ１６−１〜１６−ｎから入力する下り光信号を電気信号に変換してから自己宛てか否かを判別し，自己宛ての場合に当該下り光信号で搬送される信号（下りデータ又はＯＬＴ１０からの制御フレーム）を取り込む。
【００２５】
各ＯＮＵ１８−１〜１８−ｎは、正常である限り，ＯＬＴ１０により指定されたタイミング又は時間帯に上り光信号を、対応する分岐光ファイバ１６−１〜１６−ｎに送出する。上り光信号の波長は，下り光信号の波長とは異なる。この上り光信号は、分岐光ファイバ１６−１〜１６−ｎを伝送し，光カプラ１４により光ファイバ１２上に時間軸上で多重され、ＯＬＴ１０のＷＤＭ光カプラ２８に入力する。
【００２６】
ＷＤＭ光カプラ２８は共用光ファイバ１２から入力する上り光信号を光／電気変換器（Ｏ／Ｅ変換器）３０に供給する。Ｏ／Ｅ変換器３０は受光素子からなり、ＷＤＭ光カプラ２８からの上り光信号を電気信号に変換する。増幅器３２は、Ｏ／Ｅ変換器３０の出力電気信号（上り信号）を増幅して、上り転送装置３４に供給する。
【００２７】
増幅器３２から上り転送装置３４に入力する上り信号は、ＯＬＴ１０に向けた制御フレーム（制御信号又は応答信号等）と、上流ネットワークに向けた上りデータフレーム又は上りデータ信号からなり、上り転送装置３４は、前者をＣＰＵ２４に供給し、後者をＮＮＩ２０に供給する。前者には、帯域を要求するＲｅｐｏｒｔフレーム、並びに、ディスカバリー手順で用いられるＲｅｇｉｓｔｅｒ＿ＲＥＱフレーム及びＲｅｇｉｓｔｅｒ＿ＡＣＫフレーム等がある。ＮＮＩ２０は、上り転送装置３４からの上りデータフレームを所定の伝送フレーム構成及びプロトコルで上流ネットワークに出力する。
【００２８】
ＯＬＴ１０は、ディスカバリー（Discovery）手順によりＯＮＵ１８−１〜１８−ｎを認識し、認識した各ＯＮＵ１８−１〜１８−ｎに論理リンクを付与する。ディスカバリー（Discovery）手順の詳細は後述する。ＯＬＴ１０は、各ＯＮＵ１８−１〜１８−ｎを管理するためにメモリ３６にＯＮＵ管理情報３６ａを格納する。ＯＮＵ管理情報３６ａは、各ＯＮＵ１８−１〜１８−ｎについて、ＯＮＵを特定するレコード番号（例えば，シリアル番号）、ＯＮＵに設定する論理リンクの識別番号（ＬＬＩＤ）、及び、距離情報としての往復遅延時間ＲＴＴ（Round Trip Time）からなる。往復遅延時間は、各ＯＮＵ１８−１〜１８−ｎが、ＴＤＭＡにより互いに衝突せずに上り光信号を出力するタイミング及び期間を決定するのに必要となる。ＯＮＵ１８−１〜１８−ｎが有する機能（例えば、VoIP(Voice over IP）、VｏD（Video On Demand）及び一般のデータ通信等）毎に論理リンクを付与する場合には，１台のＯＮＵに複数の論理リンクを設定することもある。
【００２９】
ＯＬＴ１０はまた、障害ＯＮＵの特定のために、Ｏ／Ｅ変換器３０の出力電気信号の波形を計測する波形計測装置３８を具備する。波形計測装置３８の作用は、後述する。
【００３０】
本実施例では，障害ＯＮＵの特定にディスカバリー手順における制御信号を流用するので、先ず，ディスカバリー手順の本来の利用法と動作を説明する。ディスカバリー手順は、ＰＯＮシステムにおけるＯＮＵの自動新規登録手順として規定されている。図２は、ディスカバリー手順によるＯＮＵの新規登録手続きのシーケンスを示す。
【００３１】
ＯＬＴ１０は、電源オンによる起動時、又は、その後の一定期間毎に、全ＯＮＵ１８−１〜１８−ｎの内の未知（未登録）のＯＮＵに向けて、光ファイバ１２を介してＤｉｓｃｏｖｅｒｙ＿ＧＡＴＥフレームを送信する。図３は、ディスカバリー手順のＤｉｓｃｏｖｅｒｙ＿ＧＡＴＥフレームのフレーム構造を示す。Ｄｉｓｃｏｖｅｒｙ＿ＧＡＴＥフレームは、ＯＬＴ１０のタイムスタンプ情報を送信先のＯＮＵに通知するとともに、ＯＮＵが登録要求フレームＲｅｇｉｓｔｅｒ＿ＲＥＱを返信可能な時刻と時間幅からなるディスカバリースロットサイズ（Discovery Slot Size）を指定する。ＯＬＴ１０は、未知のＯＮＵからの登録要求（Ｒｅｇｉｓｔｅｒ＿ＲＥＱ）フレームがすべて、所定の時間内（Ｄｉｓｃｏｖｅｒｙ  Ｗｉｎｄｏｗ内）にＯＬＴ１０に到達するように、ディスカバリースロットサイズを設定する。
【００３２】
Ｄｉｓｃｏｖｅｒｙ＿ＧＡＴＥを受信したＯＮＵ１８−１〜１８−ｎは、Ｄｉｓｃｏｖｅｒｙ＿ＧＡＴＥを受信した後、所定の遅れ時間の経過を待って、Ｒｅｇｉｓｔｅｒ＿ＲＥＱと呼ばれる登録要求フレームをＯＬＴ１０に向けて送信する。各ＯＮＵ１８−１〜１８−ｎは、ＯＬＴ１０から通知されるディスカバリースロットサイズ内で一様に分布するように、この遅れ時間をランダムに決定する。遅れ時間をランダムに決定することで、新規のＯＮＵが複数あったときに、それぞれが出力する登録要求フレーム（Ｒｅｇｉｓｔｅｒ＿ＲＥＱ）が光伝送路上で衝突する確率を低減出来る。各ＯＮＵ１８−１〜１８−ｎは、登録要求フレーム（Ｒｅｇｉｓｔｅｒ＿ＲＥＱ）で、自身のＭＡＣアドレスをＯＬＴ１０に通知する。
【００３３】
ＯＬＴ１０は、登録要求フレーム（Ｒｅｇｉｓｔｅｒ＿ＲＥＱ）を受信すると、送信元のＯＮＵ１８−１〜１８−ｎに対し、論理リンクを設定するための、Ｒｅｇｉｓｔｅｒと呼ばれる登録フレームを送信する。この登録フレームは、付与された論理リンクの識別番号（ＬＬＩＤ）を通知するものである。登録（Ｒｅｇｉｓｔｅｒ）フレームを受けたＯＮＵ１８−１〜１８−ｎは、登録フレームに対応する登録承認（Ｒｅｇｉｓｔｅｒ＿ＡＣＫ）フレームをＯＬＴ１０に送信する。これにより、ディスカバリー手順が終了する。なお、登録（Ｒｅｇｉｓｔｅｒ）フレームを受けた各ＯＮＵ１８−１〜１８−ｎは、登録フレームで通知されたＬＬＩＤを記憶し，以後のデータ通信に使用する。
【００３４】
次に，本実施例の特徴的な動作である障害ＯＮＵの検出方法を説明する。何れのＯＮＵ１８−１〜１８−ｎも正常に動作している段階で、ＯＬＴ１０のＣＰＵ２４は、下り転送装置２２を介して各ＯＮＵ１８−１〜１８−ｎに即時の応答を要求する即時応答要求コマンドを送信する。ＣＰＵ２４は同時に、波形計測装置３８に計測開始のトリガー信号を供給して、包絡線波形の計測を開始させる。各ＯＮＵ１８−１〜１８−ｎは、即時応答要求コマンドを受信すると、即時に所定のデータ構造の返答信号を送信する。
【００３５】
本実施例では、図２に示すＤｉｓｏｖｅｒｙ＿ＧＡＴＥフレームにおいて、ディスカバリースロットサイズ（ＯＮＵが登録要求フレームＲｅｇｉｓｔｅｒ＿ＲＥＱを返信可能な時間幅）をゼロにセットしたものを、即時応答要求コマンドとする。これにより、ＯＬＴ１０及びＯＮＵ１８−１〜１８−ｎに特別の制御コマンド／応答フレームを設定する必要がなくなり、既存のＰＯＮシステムへの適用が容易になる。
【００３６】
但し、既存のＰＯＮシステムでは、ＯＬＴとの間に論理リンクが確立しているＯＮＵは、Ｄｉｓｏｖｅｒｙ＿ＧＡＴＥフレームに対してＲｅｇｉｓｔｅｒ＿ＲＥＱを返信しない仕様になっている。従って、既存のＯＮＵを使用するＰＯＮシステムに適用する場合、ＯＬＴ１０は、全ＯＮＵ１８−１〜１８−ｎに対して論理リンクを切断する必要がある。このような制約が無いＰＯＮシステムに適用する場合、又は、即時応答要求コマンドとしてディスカバリー手順を利用しない場合には、論理リンクを切断する必要は無い。
【００３７】
即時応答要求コマンドとして、Ｄｉｓｏｖｅｒｙ＿ＧＡＴＥフレームを流用する場合でも、若干の仕様変更により、全ＯＮＵの論理リンクを切断する必要性を無くすことができる。例えば、図３に示すＤｉｓｃｏｖｅｒｙ＿ＧＡＴＥフレーム構成において、Ｇｒａｎｔｓ／Ｆｌａｇｓ数、又はパッド／予約の中の１ビットをフラグとし、このフラグが立っている場合に、ＯＮＵ１８−１〜１８−ｎは、論理リンクが確立していてもＲｅｇｉｓｔｅｒ＿ＲＥＱフレームを返送するようにする。これにより、全ＯＮＵの論理リンクの切断を不要にできる。
【００３８】
Ｄｉｓｏｖｅｒｙ＿ＧＡＴＥフレームの構成を利用する即時応答要求コマンドに対して、各ＯＮＵ１８−１〜１８−ｎは、Ｒｅｇｉｓｔｅｒ＿ＲＥＱフレームに相当する構成及び内容の応答フレームを即時にＯＬＴ１０に返信する。各ＯＮＵ１８−１〜１８−ｎは応答フレームを即時に返信するので、これらの応答フレームは、時間軸上で重複してＯＬＴ１０のＯ／Ｅ変換器３０に入射する。各応答フレームで搬送されるデータ自体を解析する必要が無いので，時間軸上で重複しても問題ない。
【００３９】
波形計測装置３８は、各ＯＮＵ１８−１〜１８−ｎからの応答フレームを含むＯ／Ｅ変換器３０の出力を包絡線検波し、検波結果の包絡線検波波形データをＣＰＵ２４に供給する。ＣＰＵ２４は、波形計測装置３８からの包絡線検波波形データを正常時波形データとしてメモリ３６の波形データ記憶域３６ｂに格納する。なお、１Ｇ−ＥＰＯＮ又は１０Ｇ−ＥＰＯＮでも、ＯＮＵからの下り光信号のフレーム長は、約２μｓ又は約２００ｎｓであり、包絡線波形を計測するためのサンプリングレートとしては１００ＭＨｚ程度で十分である。
【００４０】
正常時波形の計測は１回だけでなく、複数回、行ってもよい。後者の場合、計測した波形の平均値をメモリ３６の波形データ記憶域３６ｂに格納する。通常、Ｒｅｇｉｓｔｅｒ＿ＲＥＱの受信によってディスカバリー手順が進行するが、本実施例では、ＯＬＴ１０を、所定回数まではＲｅｇｉｓｔｅｒ＿ＲＥＱを受信しても無視するようにするか、障害ＯＮＵ検出手順中は、受信したＲｅｇｉｓｔｅｒ＿ＲＥＱを無視するようにすればよい。
【００４１】
図４（Ａ）〜（Ｄ）は、即時応答要求コマンドに対する応答フレームの波形例を示す。理解を容易にするために，４台のＯＮＵ１８−１〜１８−４の場合を例示してある。図４（Ａ）〜（Ｄ）に示す例では、分岐光ファイバ１６−１，１６−２，１６−３，１６−４は、この順に短いとする。ＯＮＵ１８−１〜１８−４はそれぞれ、図４（Ａ）〜（Ｄ）に相対的に示すタイミングで応答フレーム５０−１〜５０−４を分岐光ファイバ１６−１〜１６−４に出力する。これらの応答フレーム５０−１〜５０−４は分岐光ファイバ１６−１〜１６−４を伝送する間に減衰する。一般に、長距離伝送する応答フレームが、より多く減衰する。
【００４２】
図４（Ｅ）は、共用光ファイバ１２上での応答フレーム５０−１〜５０−４の重なり例を示す。図４（Ｅ）に示す例では、ＯＮＵ１８−１が最も近距離であることから応答フレーム５０−１の減衰が最も小さく、ＯＮＵ１８−４が最も遠距離であることから、応答フレーム５０−４の減衰が最も大きい。なお、伝送距離を考慮し、遠距離のＯＮＵほど、より光強度の大きな上り光信号を出力する場合もあり、その場合には、共用光ファイバ１２上での応答フレームの光強度差は、より小さくなり得るし、距離と光強度との関係が逆になる場合もありうる。
【００４３】
図４（Ｆ）は、図４（Ｅ）に示すような光強度及びタイミングでＯＬＴ１０に入射する応答フレーム５０−１〜５０−４の包絡線を示す。波形計測装置３８は、図４（Ｆ）に示すような包絡線波形を計測する。
【００４４】
このように、正常時波形データをメモリ３６に記憶した後、何れかのＯＮＵが障害により妨害光を常時出力するようになるか、又は、許可された時間帯以外の時間帯に上り光信号を出力するようになったとする。このような障害ＯＮＵが出現すると、複数のＯＮＵの論理リンクが同時に断となり、ＯＬＴ１０は、このような複数の論理リンクの断に応じて、以下に説明する障害ＯＮＵ検出プロセスを起動する。論理リンクが断となると、各ＯＮＵ１８−１〜１８−ｎは、論理リンクの未登録状態に戻る。上り光信号を常時出力するケースは、ＯＬＴ１０に光ファイバ１２から入力する光信号の光パワーをモニタすることでも、検出可能であり、入射光パワーが所定閾値を超えた場合に、障害ＯＮＵ検出プロセスを起動する。
【００４５】
このような障害ＯＮＵの発生の可能性を検知すると、ＯＬＴ１０のＣＰＵ２４は、下り転送装置２２を介して各ＯＮＵ１８−１〜１８−ｎに即時の応答を要求する即時応答要求コマンドを送信する。ＣＰＵ２４は同時に、波形計測装置３８に計測開始のトリガー信号を供給して、波形計測を開始させる。即時応答要求コマンドとしてＤｉｓｏｖｅｒｙ＿ＧＡＴＥフレームを利用する場合、正常時波形の計測時と同様に、必要により、事前に全ＯＮＵに対する論理リンクを切断する。
【００４６】
正常に動作しているＯＮＵは、即時応答要求コマンドを受信すると、正常時波形の計測時と同様に、応答フレームを即時に返信する。障害ＯＮＵは、暴走ないしは、ＯＬＴ１０の送信制御下にないので、応答フレームを返信しない。電源オフになっているＯＮＵも応答フレームを返信しないが、ＯＬＴ１０は、電源オフのＯＮＵを別途、認識しているので、後述する波形比較の際に、電源オフのＯＮＵを除外する。
【００４７】
波形計測装置３８は、ＣＰＵ２４からのトリガー信号に応じて、Ｏ／Ｅ変換器３０の出力電気信号の包絡線検波を開始する。波形計測装置３８により計測された包絡線波形データは，障害時波形データとして、メモリ３６の波形データ記憶域３６ｂに格納される。
【００４８】
図５は、図４に示す波形例に対して、ＯＮＵ１８−２が常時、上り光信号を出力するようになった場合の波形を示す。図５（Ａ）は、共用光ファイバ１２上の応答フレーム５０−１，５０−３，５０−４と、ＯＮＵ１８ー２が常時出力する上り光信号５２−２の波形例を示す。図５（Ｂ）は、図５（Ａ）に示す応答フレーム５０−１，５０−３，５０−４及び上り光信号５２−２に対して波形計測装置３８が計測する包絡線波形を示す。図５（Ｃ）は、正常時の包絡線波形を示す。図５（Ｃ）に示す波形は、図４（Ｆ）と同じである。
【００４９】
ＣＰＵ２４の波形比較装置４０は、メモリ３６の波形データ記憶域３６ｂに格納される障害時波形データと正常時波形データを比較し、変化部分を検出する。図５（Ｄ）は、障害時波形と正常時波形の差を示す。
【００５０】
常時、何らかの上り光信号がＯＬＴ１０に入力している場合、正常に応答するＯＮＵ（この例では，ＯＮＵ１８−１，１８−３，１８−４）に対しては、図５（Ｄ）に示す波形差の振幅は、障害ＯＮＵ（この例では，ＯＮＵ１８−２）の出力上り光信号の光強度に相当する有意な値となる。他方、障害ＯＮＵ（この例では，ＯＮＵ１８−２）に対しては、図５（Ｄ）に示す波形差の振幅は、障害ＯＮＵの応答フレームのみが存在すべき期間（図５では、ｔ１〜ｔ２の期間）に、実施的にゼロになる。換言すると、正常時の波形から障害時の波形を減算したときには、波形差は、障害ＯＮＵの応答フレームのみが存在する期間（図５では、ｔ１〜ｔ２の期間）で、その他の期間とはレベルが異なる。
【００５１】
ＣＰＵ２４は、波形比較装置４０による波形比較で検出した変化期間（図５では、ｔ１〜ｔ２の期間）をメモリ３６のＯＮＵ管理情報３６ａのＲＴＴ情報に照合して，該当するＯＮＵを特定する。複数のＯＮＵが該当することも、可能性としてはありうるが、それらを個別に指定して即時応答要求コマンドを送信したり、特定の応答を要求することで、返信光から、実際の障害ＯＮＵを特定出来る。先に説明したように、ＣＰＵ２４は、波形比較の結果から障害ＯＮＵを特定する際に、電源オフのＯＮＵを除外する。
【００５２】
図６は、図４に示す波形例に対して、ＯＮＵ１８−２がＯＬＴ１０の送信許可とは無関係に上り光信号を出力するようになった場合の波形を示す。ＯＮＵ１８−２が障害ＯＮＵであり、即時応答要求コマンドに対して、即時でないタイミングで上り光信号５４−２を出力している。図６（Ａ）は、共用光ファイバ１２上の応答フレーム５０−１，５０−３，５０−４と、ＯＮＵ１８ー２が出力する上り光信号５４−２の波形例を示す。図６（Ｂ）は、図６（Ａ）に示す応答フレーム５０−１，５０−３，５０−４及び上り光信号５４−２に対して波形計測装置３８が計測する包絡線波形を示す。図６（Ｃ）は、正常時の包絡線波形を示す。図６（Ｃ）に示す波形は、図４（Ｆ）と同じである。
【００５３】
ＣＰＵ２４の波形比較装置４０は、メモリ３６の波形データ記憶域３６ｂに格納される障害時波形データと正常時波形データを比較し、変化部分を検出する。図６（Ｄ）は、障害時波形と正常時波形の差を示す。
【００５４】
何れかのＯＮＵ（この例では，ＯＮＵ１８−２）がＯＬＴ１０による上り送信制御から外れている場合、正常に応答するＯＮＵ（この例では，ＯＮＵ１８−１，１８−３，１８−４）に対しては、図６（Ｄ）に示す波形差の振幅は、実質的にゼロとなる。他方、障害ＯＮＵ（この例では，ＯＮＵ１８−２）に対しては、本来存在すべき期間に上り光信号が存在しないので、図６（Ｄ）に示すように、波形差の振幅が負になる期間（図６のｔ３〜ｔ４の期間）と、正になる期間（図６のｔ５〜ｔ６の期間）が発生する。負期間（図６のｔ３〜ｔ４の期間）は、本来、応答フレームが存在すべき期間である。従って、この負期間（図６のｔ３〜ｔ４の期間）をメモリ３６のＯＮＵ管理情報３６ａのＲＴＴ情報と照合することで、障害ＯＮＵを特定又は絞り込むことが出来る。もちろん、正期間（図６のｔ５〜ｔ６の期間）は、本来の応答フレーム位置からのシフトを示すので、これも、障害ＯＮＵの特定又は絞り込みに利用出来る。
【００５５】
すなわち、ＣＰＵ２４は、波形比較装置４０による波形比較で検出した負期間（図６では、ｔ３〜ｔ４の期間）、及び必要により正期間（図６のｔ５〜ｔ６の期間）をメモリ３６のＯＮＵ管理情報３６ａのＲＴＴ情報に照合して、該当するＯＮＵを特定する。該当するＯＮＵを発見出来ない場合、最も近いＯＮＵを障害ＯＮＵとする。
【００５６】
何れかのＯＮＵがＯＬＴ１０による上り送信制御から外れている場合でも、複数のＯＮＵが該当する可能性がある。しかし、それらを個別に指定して即時応答要求コマンドを送信したり、特定の応答を要求することで、これに対する返信光から、実際の障害ＯＮＵを特定出来る。
【００５７】
図５及び図６の何れの場合も、ＣＰＵ２４は、上記のように特定した１又は複数の障害ＯＮＵをネットワークネットワークインターフェース（ＮＮＩ）４２を介して、監視ネットワークに接続するネットワーク監視装置（又はネットワーク管理者）に通知する。
【００５８】
このように、本実施例では、全ＯＮＵ１８−１〜１８−ｎが正常に動作している段階で、即時応答要求コマンドに対する応答フレームから正常時波形データを計測してメモリ３６の波形データ記憶域３６ｂに記憶しておく。そして、障害ＯＮＵの発生可能性を検出したときには、即時応答要求コマンドを送信して、各ＯＮＵ１８−１〜１８−ｎからＯＬＴ１０に入力する光信号の包絡線波形を計測し，正常時波形と比較することで、障害ＯＮＵを特定又は絞り込むことが出来る。本実施例では、ＯＮＵ１８−１〜１８−ｎに追加すべき機能が不要か、必要にしても極く少しで済むので、安価に導入出来る。
【００５９】
障害時波形は、原理的に、正常時波形の開始点と同じ開始点から計測可能である。この場合、障害時波形データは、メモリ３６に記憶しなくても、波形差を検出出来ることは明らかである。正常時波形との比較結果によっては、障害時波形を複数回、計測し、その平均を正常時波形と比較しても良い。
【００６０】
波形比較装置４０が、正常時波形と障害時波形を比較したが，オペレータが正常時波形と障害時波形を比較し、その比較結果をＯＮＵ管理情報３６ａに照合して、障害ＯＮＵを特定しても良い。この場合、ＮＮＩ４２を介して監視ネットワークに接続する監視センターに正常時波形データ、障害時波形データ及びＯＮＵ管理情報を送信し、監視センターのオペレータが両波形の比較と、その結果に基づく障害ＯＮＵの特定を行えば良い。
【実施例２】
【００６１】
上記実施例では，正常時波形を波形計測装置３８で計測したが、本実施例では、計測せずに、ＯＮＵ管理情報３６ａから正常時波形を擬似的に生成する。Ｄｉｓｏｖｅｒｙ＿ＧＡＴＥフレームの構成を利用する即時応答要求コマンドを送信する必要がないので、勿論、全ＯＮＵの論理リンクを切断する必要が無い。
【００６２】
また、障害ＯＮＵの出現前に事前に正常時波形を生成しておく必要は無く、障害ＯＮＵの検出に応じて、その時点で論理リンクを確立しているＯＮＵ、すなわち，活動しているＯＮＵに対して正常時波形を生成でき、その結果、より現実に即した正常時波形で障害ＯＮＵを特定出来るようになる。実施例１では、正常時波形の計測と障害時波形の計測との間で、１又は複数のＯＮＵが起動したり起動停止する可能性を否めず、その場合、正常時波形と障害時波形の比較で障害ＯＮＵを特定するのは困難になるが、この実施例では、そのような弊害が無い。
【００６３】
正常時波形の生成手順を説明する。ＣＰＵ２４は、メモリ３６のＯＮＵ管理情報３６ａを参照し、論理リンクを設定されているＯＮＵのＲＴＴ情報を読み出す。ＲＴＴ情報から、各ＯＮＵからの応答フレーム（Ｒｅｇｉｓｔｅｒ＿ＲＥＱフレーム）の到達時間又は相対的な遅れ時間と、減衰量を算定出来る。
【００６４】
例えば、ＯＬＴ１０とＯＮＵ１８−ｉ（ただし、ｉ＝１〜ｎ）との間の距離を１０ｋｍとする。光信号の光ファイバ中の伝送速度を約２．０×１０８ｍ／ｓとする。この場合、ＯＬＴ１０が即時応答要求コマンドとしてのＤｉｓｃｏｖｅｒｙ＿ＧＡＴＥフレームを送信してから応答フレームとしてのＲｅｇｉｓｔｅｒ＿ＲＥＱフレームを受信するまでの時間は１００μｓと概算できる。ＯＮＵでの処理遅延が分かっていれば、それを含めることで、より正確な値を得ることができることは明らかである。
【００６５】
受信フレームの時間幅は、フレーム長から概算できる。Ｒｅｇｉｓｔｅｒ＿ＲＥＱフレームは６４Ｂｙｔｅであるので、１Ｇｂｉｔ／ｓのＥＰＯＮでは、６４×８＝５１２ｂｉｔ＝５１２ｎｓとなる。厳密には、これに、シンクタイム、プリアンブル、レーザオンタイム及びレーザオフタイムを加算し、８Ｂ／１０Ｂ変換によるオーバヘッドを加算することになるが、いずれも各ＰＯＮシステムで既知であるので、精度上必要ならこれらを加算すればよい。代表的な合計値は、約２μｓである。
【００６６】
ＯＬＴ１０が受信するはずの応答フレームの光強度は、ＯＮＵ１８−ｉの（平均）光パワー、光ファイバ１２，１６−ｉの伝送損失、および光カプラ１４の分岐損から概算できる。例えば、ＯＮＵ１８−ｉの出力パワーを０ｄＢｍ、光ファイバ１２，１６−ｉの伝送損失を０．４ｄＢ／ｋｍ、光カプラ１４の分岐損を６ｄＢとすると、ＯＬＴ１０は、ＯＬＴ１０から１０ｋｍ地点にあるＯＮＵ１８−ｉから送信されたＲｅｇｉｓｔｅｒ＿ＲＥＱを−１０ｄＢｍのパワーで受信する。
【００６７】
図７（Ａ）は、ＯＮＵ１８−１〜１８−４とＯＬＴ１０との間の距離をそれぞれ１０．０ｋｍ、１０．２ｋｍ、１０．８ｋｍ、１１．０ｋｍとした場合の、ＯＬＴ１０に入射すると推測される応答フレーム波形（推測波形）を示し、同（Ｂ）は、その包絡線波形を示す。波形５６−１〜５６−４は、ＯＮＵ１８−１〜１８−４の管理情報から生成した応答フレーム波形（推測波形）を示す。上記計算例では、波形５６−１で示す応答フレームのパワーは、−１０．００ｄＢｍである。波形５６−２で示す応答フレームは、パワーが−１０．０８ｄＢｍであり、波形５６−１に対して１μ秒だけ遅れる。波形５６−３で示す応答フレームはパワーが−１０．３２ｄＢｍであり、波形５６−１に対して４μ秒だけ遅れる。波形５６−４で示す応答フレームはパワーが−１０．４０ｄＢｍであり、波形５６−１に対して５μ秒だけ遅れる。
【００６８】
ＣＰＵ２４は、このように計算した波形データを正常時波形データとして、メモリ３６の波形データ記憶域３６ｂに格納する。波形計測装置３８が、実施例１と同様に、障害時波形を計測する。そして、実施例１と同様に、波形比較装置４０が、正常時波形（推測波形）と障害時波形を比較し、障害ＯＮＵを特定する。障害時波形の計測の後に正常時波形を生成する場合、計測した障害時波形データをメモリ３６の波形データ記憶域３６ｂに格納し、波形比較装置４０は、ＣＰＵ２４が生成する正常時波形データを、メモリ３６の波形データ記憶域３６ｂの障害時波形データと比較しても良い。
【００６９】
光パワーの概算には以下のような誤差要因がある。すなわち、ＯＮＵ１８−１〜１８−ｎの出力パワーの個体差、ＯＮＵ１８−１〜１８−ｎの出力パワーの経時変化、及び光カプラ１４の分岐損の不均一性である。ＯＬＴ１０は、ＯＮＵ１８−１〜１８−ｎ毎の受信光パワーを測定でき、この測定情報を用いることで、ＯＮＵ１８−１〜１８−ｎ毎の誤差要因を低減出来る。
【００７０】
この実施例でも、オペレータが、擬似的に生成される正常時波形と、実際に計測された障害時波形とを比較し、その比較結果をＯＮＵ管理情報３６ａに照合して、障害ＯＮＵを特定しても良い。この場合、ＮＮＩ４２を介して監視ネットワークに接続する監視センターに障害時波形データとＯＮＵ管理情報を送信し、監視センターで正常時波形を生成し、監視センターのオペレータが両波形の比較と、その結果に基づく障害ＯＮＵの特定を行えば良い。
【００７１】
上記実施例１、２では、障害ＯＮＵの発生の可能性を検知した場合に、障害時波形の計測、正常時波形との比較及び障害ＯＮＵの特定からなる障害ＯＮＵ特定処理を起動するが、定期的にこの障害ＯＮＵ特定処理を起動してもよい。
【００７２】
前者のケースでは、論理リンクの断や強いノイズ光の入力といった重篤な障害の発生を検知する必要があり、軽微な障害を見逃しがちである。これに対し、定期的に障害ＯＮＵ特定処理を起動するようにすれば、軽微な障害であっても、障害ＯＮＵ特定処理で検出出来る可能性がある。しかも、障害ＯＮＵ特定処理を起動する時間間隔程度の遅れで対応可能である。
【００７３】
現在ＩＥＥＥ８０２．３ａｖで標準化が進められている１０Ｇ−ＥＰＯＮにも、本発明は適用可能である。１０Ｇ−ＥＰＯＮでは、上り通信速度が１Ｇｂｉｔ／ｓと１０Ｇｂｉｔ／ｓのＯＮＵが同じＰＯＮに接続されているケースが想定に入っている。この時、Ｄｉｓｃｏｖｅｒｙ  Ｗｉｎｄｏｗの設定方法として、１つのＤｉｓｃｏｖｅｒｙ  Ｗｉｎｄｏｗで１Ｇ／１０Ｇの双方のＲｅｇｉｓｔｅｒ＿ＲＥＱフレームを受けるケースと、１Ｇ用のＤｉｓｃｏｖｅｒｙ  Ｗｉｎｄｏｗと、１０Ｇ用のＤｉｓｃｏｖｅｒｙ  Ｗｉｎｄｏｗを別々に設けるケースがあり、どちらのケースにも、本発明は適用可能である。
【００７４】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００７５】
１０：ＯＬＴ
１２：共用光ファイバ
１４：光カプラ
１６−１〜１６−ｎ：分岐光ファイバ
１８−１〜１８−ｎ：ＯＮＵ
２０：ネットワークネットワークインターフェース（ＮＮＩ）
２２：下り転送装置
２４：ＣＰＵ
２６：電気／光変換器（Ｅ／Ｏ変換器）
２８：ＷＤＭ（波長分割多重）光カプラ
３０：光／電気変換器（Ｏ／Ｅ変換器）
３２：増幅器
３４：上り転送装置
３６：メモリ
３６ａ：ＯＮＵ管理情報
３６ｂ：波形データ記憶域
３８：波形計測装置
【図１】
2011035738.tif 000003
【図２】
2011035738.tif 000004
【図３】
2011035738.tif 000005
【図４】
2011035738.tif 000006
【図５】
2011035738.tif 000007
【図６】
2011035738.tif 000008
【図７】
2011035738.tif 000009